(57)【要約】      （修正有）【課題】異なる色や模様を有する帯状の単位布地の複数を折り曲げて、それ一つにて種々の色や模様をあらわすことができるマルチフアッショナブルな立体ポンチョを提供する。【解決手段】異なる色や模様を有する布地帯状の単位布地１，２，３の三〜五数をそれぞれの長辺の一つが重なるように接合縫製して、縫製される長辺の中心部に着用者の頭部を通すための開口部となる３００ｍｍ〜５００ｍｍの幅の未縫製部を設けている。長方形帯状の単位布地１，２，３は、天然繊維または化学繊維であって、異なる色や模様を有する三〜五枚の布地の幅３００〜８００ｍｍ、長さ１０００ｍｍ〜２０００ｍｍであって、各布地で縫製される長辺に２０ｍｍ〜１００ｍｍの段差をそれぞれ設けて、接合部分で二重又は三重で縫い込んで形成されている。【選択図】図１
0003190314.tif 000002
【実用新案登録請求の範囲】
【請求項１】
異なる色や模様を有する布地帯状の単位布地の三〜五数を立体的に接合縫製して、縫製縦方向の中心部に３００ｍｍ〜６００ｍｍの幅の未縫製部を設けていることを特徴とする立体ポンチョ。
【請求項２】
長方形帯状の単位布地は、天然繊維または化学繊維であって、異なる色や模様を有する三〜五枚の布地の幅２００〜８００ｍｍ、長さ３００ｍｍ〜２０００ｍｍであって、各布地の縫製で長手方向に２０ｍｍ〜１００ｍｍの段差をそれぞれ設けて、接合部分で縫い込みから形成されていることを特徴とする請求項１に記載の立体ポンチョ。
【請求項３】
異なる色彩や模様を有する長方形帯状の単位布地は、複数の色彩・模様を呈するように、三〜五枚の布地裏表の色彩、模様を異ならせて、各両端を３ｍｍ〜１００ｍｍの縦糸のみにしていることを特徴とする請求項１又は請求項２に記載の立体ポンチョ。
【請求項４】
異なる色彩や模様を有する帯状の単位布地の接合は、裏表の色彩、模様を異ならせている三〜五枚の布地を一体に折り重ねて、二重又は三重に縫製して行ない、縫製縦方向の中心部に３００ｍｍ〜６００ｍｍの幅で未接合部にして、各々に縁止めを施していることを特徴とする請求項１〜３いずれかに記載の立体ポンチョ。
【考案の詳細な説明】
【技術分野】
【０００１】本考案はポンチョに関し、詳しくは、単位布地を三〜五葉仕立てにすることによって、数種の色彩・模様を呈するように、三〜五枚の布地裏表の色彩、模様を異ならせて、色や模様を多彩に変化させることができる興趣と暖かさが増すという実用性とを兼ね備えたポンチョに関する。
【背景技術】
【０００２】一般に、従来のポンチョは、構造が余りにも簡単であるため、ポンチョについて個性的又はフアッショナブルであるためには、種々の色や模様を有するポンチョを数多く揃えてもつ必要があり、また、服装等に応じて、種々のポンチョをもつ必要がある。三枚布地を並列に縫製して製作されているが、色彩の変化は乏しい。【０００３】またシートの中央に着用者の頭部を通すための開口部を折り返し部に形成すると共に両側辺の全長に渡ってジッパーを取付け、かつ、該ジッパーの外側にホックボタンを取付け、前記一対のジッパーのスライダーが互い違いになるように、両側のホックボタンで前記開口部が形成された折り返し部を対称として互い違いになるように取付けられているポンチョが提案されている（特許文献１参照）。【０００４】首まわりを十分に保温し、フアッション性を豊かにするための、保温材を内装した袋体からなる、立体ポンチョに、関するものである。羽毛などの保温材を内装した袋体に、係止部を設けてからなる立体ポンチョである。ストール，膝掛け等として使用する平面的な編地であるにも拘らず、必要に応じて、腕や首等を通すだけで簡単にこの平面的な編地をポンチョ，ベスト，ボレロ，カーディガン等として着用することができるようになり、若干の工夫を施すだけで、様々な用途に利用できる編地を提供する。（特許文献２参照）。【０００５】簡易にポンチョとしての作用を保ち、防寒とファッション性を提供するものである。糸の伸縮性を保たせた方法で輪形に編上げ、編み初め部と編み終り部を中央の折り返し部で折り返して重ね合せて、綴じ部の周囲を綴じるマフラー、ポンチョが提案されている（特許文献３参照）。【０００６】マフラー及びスカーフ、ストールは、着装時に従来のその形態をかえることなく簡易着脱を可能とし、二重構成による防寒性の向上と収納部を設けた利便性を兼ね備えた事を提供の目的として、簡易着脱型マフラー及びスカーフ、ストールの本体の腹胸部から首回りにかけ、ファスナー又は装着具を取り付け、更に首回り部位に別体をファスナー又は装着具により取り付け、二重にし、更に本体の両端部分に収納部、開閉用の装着具を設けているポンチョが提案されている（特許文献４参照）。【０００７】ポンチョと同様に、マフラーの一端の、長さ方向に切り込みを入れて、マフラーを２分割することにより、分割してない部分を背中に垂らして、寒冷時の保温効果が上ることを目的とし、又、２分割した形状により結び方のおしゃれ効果を高めた。マフラーの長さ方向の中心線上で、全長の約２／３に切り込みを入れ２分割してあるマフラーを提案されている（特許文献５参照）。
【先行技術文献】
【特許文献】
【０００８】
【特許文献１】特開２００５−２１３７０１号公報
【特許文献２】特開平８−４１７０５号公報
【特許文献３】実開平７−４０７２５号公報
【特許文献４】特開平１１−１８１６１０号公報
【特許文献５】実開平６−２０４２０号公報
【考案の概要】
【考案が解決しようとする課題】
【０００９】本考案は、従来のポンチョにおける上記した問題を解決するためになされたものであって、模様を異ならせて、色や模様を種々に変化させることができる興趣と実用性とを兼ね備えて、それ一つにて種々の色や模様をあらわすことができるマルチファショナブルな立体ポンチョを提供することを目的とする。
【課題を解決するための手段】
【００１０】本考案によるポンチョは、異なる色や模様を有する布地帯状の単位布地の三〜五数を立体的に接合縫製して、縫製縦方向の中心部に３００ｍｍ〜６００ｍｍの幅の未縫製部を設けている立体ポンチョである。長方形帯状の単位布地は、天然繊維または化学繊維であって、異なる色や模様を有する三〜五枚の布地の幅２００〜９００ｍｍ、長さ３００ｍｍ〜２０００ｍｍであって、各布地の縫製で長手方向に２０ｍｍ〜１００ｍｍの段差をそれぞれ設けて、接合部分で縫い込みから形成されている。【００１１】天然繊維として、綿、絹、麻、羊毛、化学繊維としてポリエステル繊維、ポリアミド繊維ポリアクリル繊維、ポリビニール繊維、レーヨン、アセテートである。繊維の厚さとしては０．０５ｍｍ〜３ｍｍで、色彩の豊富なものである。異なる色彩や模様を有する帯状の単位布地は、複数体の色彩・模様を呈するように、三〜五枚の布地の色彩、模様を異ならせて、各両端を３ｍｍ〜１００ｍｍの縦糸のみにしている立体ポンチョである。【００１２】異なる色彩や模様を有する帯状の単位布地の縫製は、裏表の色彩と模様を異ならせている三〜五枚の布地を、段差をつけながら一体に重ねて、二重又は三重に縫製して接合する立体ポンチョであり、縫製縦方向の中心部に３００ｍｍ〜６００ｍｍの幅で未接合部にして、各々に縁止めを施している。【００１３】  長方形帯状の単位布地は、天然繊維または化学繊維であるが、一般に効果を示すものは綿製のからくり織りである。これはかすり糸を含んだ先染め綿１００％の特殊織成の生地で、表裏に色みの違いがあり高いレベルの耐光堅牢性と染色堅牢性のため簡単に洗濯でき、お手入れも簡単である。また、細綿使用のため肌触りもよく、保温性、通気性、耐紫外線の高い素材特徴を持っている。
ポンチョで、頭部が通る様に冊状に繋ぎ合わせる事により、２枚はポンチョの役割で残る１枚をマフラーとして使用するなど今までにない斬新なデザインと、触り心地で、立体的な空間を作り出す事ができるので更に保温性、通気性も増した。
【考案の効果】
【００１４】本考案のポンチョは、模様を異ならせて、色や模様を種々に変化させることができる興趣と実用性とを兼ね備えて、それ一つにて種々の色彩や模様の表現を楽しむことができるマルチフアッショナブルな立体ポンチョを提供できる。本願のポンチョは、異なる色や模様を有する帯状の単位布地の複数を、一定の段差を設けて一直線上に縫い合わせる事により、多彩に折り曲げ可能で、単一のポンチョでありながら、いずれかの単位布地を表面とすることも、複数の布地の表裏色や模様を自在にコーディネイトして身に付けることができ、興趣深いのみならず、実用的価値も高いものである。【００１５】本考案によるポンチェは、接合縫製箇所の強度を保ちながら、縫い代を出来るだけ小さくして使い勝手と装着感を良くし、コーディネイトしやすいように工夫されていて、機能性が増している。中央部の未接合部に種々の方向から頭部を入れて着用しても多彩な色合いにさせることができる。【００１６】本考案によるポンチョは、三〜五枚の布地を一体にずらして重ねて、二重又は三重に縫製して接合することにより、デザイン上の利点だけではなく、空気の層を多く創る事ができ、吸湿率のあまり高くない綿などの素材生地も吸湿発熱の効果が高くなり、暖かく機能性が増している。
【図面の簡単な説明】
【００１７】
【図１】三枚の布地で製作した立体ポンチョの斜視図（Ａ）と、断面図（Ｂ）
【図２】縫製方法の図（Ａ，Ｂ，Ｃ，Ｄ）
【図３】三枚布地の立体ポンチョの完成図
【図４】三枚布地の立体ポンチョの装着図（Ａ）と、その布の表裏の表情（Ｂ）
【図５】四枚の異なる種類の布地で製作した立体ポンチョの斜視図（Ａ）と、完成図（Ｂ）
【図６】五枚の異なる種類の布地で製作した立体ポンチョの斜視図（Ａ）と、完成図（Ｂ）と、装着図（Ｃ）
【図７】２枚の異なる種類の布地で製作した立体ポンチョの完成図
【考案を実施するための形態】
【００１８】以下に実施例を示す図面に基づいて本考案によるポンチョを詳細に説明する。
図１（Ａ）は、本考案による立体ポンチョの一実施例の斜視図を示し、異なる色や模様や素材を有する帯状の単位布地１，２及び３を出来るだけ小さい縫い代で接合されている。
【００１９】図１（Ｂ）は、前記帯状の単位布地の長手方向に沿う線状の縫い込みからなる三枚布地の立体ポンチョの横断面を示す。
本考案によるポンチョの単位布地の素材は天然繊維、化学繊維であって、とくに綿、絹、羊毛、レーヨン、アセテート、ポリエステル、ポリピニールなどが好ましく、また、それぞれの単位布地は不透明、半透明又は透明のいずれでもよい。
【００２０】図２（Ａ，Ｂ，Ｃ，Ｄ）は、３枚布地の立体ポンチョの製作過程図である。
図２（Ａ）は、帯状に裁断した色柄の違う単位布地、上４、中５及び下６を、予めオーバーロックミシン縫いや千鳥縫い等で、ほつれ止め加工し、長手方向に段差をつけた縫製前の状態を示す。
【００２１】本考案によるポンチョにおいて、それぞれの単位布地の素材は天然繊維、化学繊維であって、とくに綿、絹、羊毛、レーヨン、アセテート、ポリエステル、ポリピニールなどが好ましく、また、それぞれの単位布地は不透明、半透明又は透明のいずれでもよい。
【００２２】図２（Ｂ）は、縁から２ｍｍ（符号７）のところを長手方向に段差をつけながら縫製する接合部の断面図である。この布地の接合部は、強度を増すためになるべく反物のミミ（両端の部分）を使用してもよい。
【００２３】図２（Ｃ）は、１回目の接合（符号７の位置）から、さらに強度と風合いを増すため、単位布地上４と下６を反対方向に折り曲げ１ｍｍ（符号８の位置）で長手方向にステッチ縫いをした時の断面図。
図２（Ｄ）は、ステッチ縫い後の斜視図の断面図である。
【００２４】図３は、前記工程を済ませた３枚布地の立体ポンチョの各両端を３ｍｍ〜１００ｍｍの縦糸のみにして総のある状態の完成図である。また、前述したように、それぞれの単位布地を２次元的に収納形成することによって、折り畳んだ状態にても、厚くならず、勿論、軽いので、身に付けても、何らの違和感も不快感もなく、暖かい。
【実施例１】
【００２５】３種類の裏表の色彩・模様の異なる綿（からくり織）の布地を単位布幅５７ｃｍ．長さ１１５ｃｍ．に裁断し、図２に示すように予め各両端を２０ｍｍの縦糸のみにして、ふさ付き仕様に加工して周りを千鳥縫いでほつれ止めを行った。色彩と柄の違う３枚の単位布地の４，５，６を長手方向に５ｃｍ毎に、段差をつけてずらしながら、縁から２ｍｍのところで３枚の布地を７のように縫製接合して、更に単位布地４，６を反対方向に折り曲げて、１ｍｍでステッチ縫いをして８のように仕上げたポンチョとした。【００２６】更に、それぞれの布地の有する色と柄と裏表の重なりにより、一層、多種多様な色と模様を有するポンチョとすることができ、図４（Ｂ）に示すように好みにより布の表裏が１５から２０のような状態になり、多彩に楽しむことができた。【００２７】図４は、図３をからくり織り（細綿１００％）の素材を用いた三葉仕立て立体ポンチョを、実際に首回りに巻きつけた使用装着例である。また、この装着ポンチョは、立体的であるため多くの空気の層をつくる事が出来て更に暖かい。
【実施例２】
【００２８】前記実施例１と同様方法で、４枚のアクルル繊維の布地で縫製して立体ポンチェを製作した。生地を単位布幅５７ｃｍ．長さ１１０ｃｍ．に裁断し、図２に示すように予め各両端を２０ｍｍの縦糸のみにして、ふさ付き仕様に加工して周りを千鳥縫いでほつれ止めを行った。【００２９】色彩と柄の違う４枚の単位布地を長手方向に３ｃｍ毎に、段差をつけてずらしながら、縁から３ｍｍのところで４枚の布地を縫製接合して、更に単位布地を反対方向に折り曲げて、１ｍｍでステッチ縫いをして仕上げたポンチョとした。
その斜視図が図５（Ａ）で、完成図が図５（Ｂ）に示す。
【実施例３】
【００３０】前記実施例１と同様の方法で、５枚の絹の布地で縫製して立体ポンチョを製作した。地を単位布幅５７ｃｍ．長さ１０５ｃｍ．に裁断し、図２に示すように予め各両端を２０ｍｍの縦糸のみにして、ふさ付き仕様に加工して周りを千鳥縫いでほつれ止めを行った。【００３１】色彩と柄の違う５枚の単位布地を長手方向に３ｃｍ毎に、段差をつけてずらしながら、縁から３ｍｍのところで５枚の布地を縫製接合して、更に単位布地を反対方向に折り曲げて、１ｍｍでステッチ縫いをして仕上げたポンチョとした。
その斜視図が図６（Ａ）で、完成図が図６（Ｂ）であり、装着図が図６（Ｃ）に示す。
【実施例４】
【００３２】前記実施例１と同様方法で、五枚羊毛の生地で、種々色彩と柄の違う薄地（ウール１００％）を用いた五葉仕立て立体ポンチョの装着図と完成図である。
「比較例１」【００３３】二枚の布地で製作した平面ポンチョの完成図であり、接合部が目立ち美しくなく、立体的ポンチョに比べ、使用した時の変化に著しく乏しい。その完成図が図７に示す。
【符号の説明】
【００３４】１．色柄の違う帯状の単位布地１
２．色柄の違う帯状の単位布地２
３．色柄の違う帯状の単位布地３
４．帯状に裁断した色柄の違う単位布地上４
５．帯状に裁断した色柄の違う単位布地中５
６．帯状に裁断した色柄の違う単位布地下６
７．１回目縫い合わせ位置
８．２回目ステッチ位置
９．帯状に裁断した色柄の違う単位布地中５
１０．帯状に裁断した色柄の違う単位布地上４
１１．帯状に裁断した色柄の違う単位布地下６
１２．からくり織り（細綿１００％）の青色
１３．からくり織り（細綿１００％）の茶色
１４．からくり織り（細綿１００％）の赤色
１５．からくり織り（細綿１００％）の表地、濃い赤色
１６．からくり織り（細綿１００％）の表地、濃い青色
１７．からくり織り（細綿１００％）の表地、濃い茶色
１８．からくり織り（細綿１００％）の裏地、淡い茶色
１９．からくり織り（細綿１００％）の裏地、淡い青色
２０．からくり織り（細綿１００％）の裏地、淡い赤色
【図１】
0003190314.tif 000003
【図２】
0003190314.tif 000004
【図３】
0003190314.tif 000005
【図４】
0003190314.tif 000006
0003190314.tif 000007
【図５】
0003190314.tif 000008
【図６】
0003190314.tif 000009
0003190314.tif 000010
【図７】
0003190314.tif 000011
【手続補正書】
【提出日】平成26年2月2日(2014.2.2)
【手続補正１】
【補正対象書類名】実用新案登録請求の範囲
【補正対象項目名】全文
【補正方法】変更
【補正の内容】
【実用新案登録請求の範囲】
【請求項１】
異なる色や模様を有する布地帯状の単位布地の三〜五数をそれぞれの長辺の一つが重なるように接合縫製して、縫製される長辺の中心部に着用者の頭部を通すための開口部となる３００ｍｍ〜５００ｍｍの幅の未縫製部を設けていることを特徴とする立体ポンチョ。
【請求項２】
長方形帯状の単位布地は、天然繊維または化学繊維であって、異なる色や模様を有する三〜五枚の布地の幅３００〜８００ｍｍ、長さ１０００ｍｍ〜２０００ｍｍであって、各布地で縫製される長辺に２０ｍｍ〜１００ｍｍの段差をそれぞれ設けて、接合部分で縫い込みから形成されていることを特徴とする請求項１に記載の立体ポンチョ。
【請求項３】
異なる色彩や模様を有する長方形帯状の単位布地は、複数の色彩・模様を呈するように、三〜五枚の布地裏表の色彩、模様を異ならせて、各布地で縫製される長辺の両端を５ｍｍ〜５０ｍｍの縦糸のみにしていることを特徴とする請求項１又は請求項２に記載の立体ポンチョ。
【請求項４】
異なる色彩や模様を有する帯状の単位布地の接合は、裏表の色彩、模様を異ならせている三〜五枚の布地を一体に折り重ねて、二重又は三重に縫製して行ない、縫製される長辺の中心部に着用者の頭部を通すための開口部となる３００ｍｍ〜５００ｍｍの幅で未接合部にして、各々に縁止めを施していることを特徴とする請求項１〜請求項３いずれかに記載の立体ポンチョ。
【手続補正４】
【補正対象書類名】図面
【補正対象項目名】全図
【補正方法】変更
【補正の内容】
【図１】
0003190314.tif 000012
【図２】
0003190314.tif 000013
【図３】
0003190314.tif 000014
【図４】
0003190314.tif 000015
【図５】
0003190314.tif 000016
【図６】
0003190314.tif 000017
【図７】
0003190314.tif 000018
【手続補正５】
【補正対象書類名】明細書
【補正対象項目名】００１７
【補正方法】変更
【補正の内容】
【００１７】
【図１】三枚の布地で製作した立体ポンチョの斜視図（Ａ）と、端面図（Ｂ）
【図２】三枚の布地で製作した立体ポンチョの縫製方法の図  （Ａ）：三枚の布地、（Ｂ）：三枚の布地の１回目縫い合わせ、（Ｃ）：２回目ステッチの縫い合わせ、（Ｄ）縫い合わせ完成
【図３】三枚布地の立体ポンチョの完成図
【図４】三枚布地の立体ポンチョの装着図
【図５】四枚の異なる種類の布地で製作した立体ポンチョの斜視図（Ａ）と、完成図（Ｂ）
【図６】五枚の異なる種類の布地で製作した立体ポンチョの斜視図（Ａ）と、完成図（Ｂ）
【図７】２枚の異なる種類の布地で製作した従来のポンチョの斜視図
【手続補正６】
【補正対象書類名】明細書
【補正対象項目名】００３５
【補正方法】変更
【補正の内容】
【００３５】１．色柄の違う帯状の単位布地１
２．色柄の違う帯状の単位布地２
３．色柄の違う帯状の単位布地３
４．色柄の違う帯状の単位布地４
５．色柄の違う帯状の単位布地５
６．色柄の違う帯状の単位布地６
７．１回目縫い合わせ位置部
８．２回目ステッチ位置部
９．帯状に裁断した色柄の違う単位布地中５
１０．帯状に裁断した色柄の違う単位布地上４
２１．接合縫製部
２２．未縫製部
２３．縦糸のみ部